(57)【要約】【課題】特定の日記データの公開／非公開の指定を迅速かつ容易に行う。【解決手段】サーバは、同一内容の背景データとして予め用意された公開用および非公開用の背景データのいずれかの背景上に記述された日記データを当該ユーザの端末装置から受信する。サーバは、また、端末装置から受信した日記データを記憶部に保存するとともに、当該背景データの公開／非公開に基づいて当該日記データの他のユーザへの公開／非公開を管理する。端末装置は、いずれかの背景データを用いて日記データを作成し、当該ユーザにより作成された背景データ付き日記データをサーバに送信する。【選択図】図１２−Ａ
2010205298.tif 000002
【特許請求の範囲】
【請求項１】
通信ネットワークを介してサーバに接続される端末装置であって、
日記データを作成する日記データ作成手段と、
日記の背景データとして、同一の内容の選択可能な公開用および非公開用の背景データが用意されており、いずれの背景データが選択されたかによって当該日記データの公開の可否を決定する手段と、
を備えたことを特徴とする端末装置。
【請求項２】
前記公開用の背景データに、公開が許可されている旨を示すマークが付加されていることを特徴とする請求項１に記載の端末装置。
【請求項３】
前記公開用および非公開用の背景データは前記サーバ上に用意されていることを特徴とする請求項１または２に記載の端末装置。
【請求項４】
データを表示する表示部と、
ユーザの指示およびデータを入力する入力部と、
作成された日記データを前記サーバに送信する手段と、
前記作成された日記データの閲覧を許可するユーザを指定するユーザ指定情報を前記入力部から前記サーバに登録する手段と、
前記サーバに送信されたユーザの自己の日記データを前記表示部で閲覧する手段と、
他のユーザのユーザ指定情報により許可された他のユーザの公開された日記データを前記表示部で閲覧する手段と、
を備えたことを特徴とする請求項１〜３のいずれかに記載の端末装置。
【請求項５】
前記日記の閲覧は前記表示部上に表示されるカレンダー画面を介して、日付を指定することにより行うことを特徴とする請求項４に記載の端末装置。
【請求項６】
前記カレンダー画面上で日記が記述された日付と日記が記述されていない日付とを区別して表示することを特徴とする請求項５に記載の端末装置。
【請求項７】
１日の日記は各々背景データに対応した複数の記述領域を有することができ、前記日記が記述された日付の区別表示において前記記述領域の個数を認識可能に表示することを特徴とする請求項６に記載の端末装置。
【請求項８】
前記日記データ作成手段は、個々の記述領域について異なる表示形態を指定する手段を備えたことを特徴とする請求項７に記載の端末装置。
【請求項９】
前記日記データ作成手段は、撮影された画像データを前記サーバに送信し、前記サーバにより作成された前記画像データの縮小画像データを受信して前記日記のページに貼り付ける手段を備えたことを特徴とする請求項４に記載の端末装置。
【請求項１０】
前記日記データ作成手段は、前記縮小画像データを前記サーバに送信された元の画像データにリンクさせることを特徴とする請求項９に記載の端末装置。
【請求項１１】
前記表示部の画面上にユーザの自己の日記を示す第１のアイコンと自己に日記を公開している他のユーザの日記を示す第２のアイコンを表示し、前記第１のアイコンからの指示に応じて日記のカレンダー画面に移行し、前記第２のアイコンからの指示に応じて他のユーザの選択画面を介して当該他のユーザのカレンダー画面に移行し、いずれの場合も前記カレンダー画面から日付を選択することにより、その日付の日記に到達することを特徴とする請求項５または６に記載の端末装置。
【請求項１２】
前記表示部の画面上に自己の当日の日記を示す第３のアイコンを表示し、この第３のアイコンから自己の当日の日記の記述用の画面へ移行することを特徴とする請求項１１に記載の端末装置。
【請求項１３】
通信ネットワークを介してサーバに接続される端末装置において実行されるコンピュータプログラムであって、
ユーザの入力に応じて背景データ付きの日記データを作成するステップと、
作成された日記データを前記サーバに送信するステップと、
ユーザの入力に応じて、前記背景データとして、同一の内容の選択可能な公開用および非公開用の背景データのいずれかを選択するステップと、
いずれの背景データが選択されたかによって当該日記データの公開の可否を決定するフラグ情報を当該日記データに付加するステップと
をコンピュータに実行させるコンピュータプログラム。
【請求項１４】
前記作成された日記データの閲覧を許可するユーザを指定するユーザ指定情報を前記サーバに登録するステップと、
をコンピュータに実行させる請求項１３に記載のコンピュータプログラム。
【請求項１５】
サーバと端末装置とが通信ネットワークを介して接続された通信システムであって、
前記サーバは、
同一内容の背景データとして予め用意された公開用および非公開用の背景データのいずれかの背景上に記述された日記データを当該ユーザの端末装置から受信する手段と、
前記端末装置から受信した日記データを記憶部に保存するとともに、当該背景データの公開／非公開に基づいて当該日記データの他のユーザへの公開／非公開を管理する手段とを有し、
第１のユーザの端末装置からの要求に応じて前記第１のユーザの作成した日記データを当該第１のユーザに閲覧させるとともに、第２のユーザの端末装置からの要求に応じて当該公開用の背景データを有する日記データを当該第２のユーザに閲覧させ、
前記端末装置は、
前記いずれかの背景データを用いて日記データを作成する日記データ作成手段と、
当該ユーザにより作成された背景データ付き日記データを前記サーバに送信する送信手段と、
作成された日記データを閲覧する手段と、
を備えたことを特徴とする通信システム。
【請求項１６】
前記サーバは、前記第１のユーザの端末装置から当該第１のユーザの日記データおよび当該日記データの公開を許可する第２のユーザを指定するユーザ指定情報を受信して保存する手段をさらに備える請求項１５に記載の通信システム。
【請求項１７】
前記公開用の背景データは、前記非公開用の背景データと同じ内容の背景データに対して公開が許可されている旨を示すマークが付加されたものである請求項１５または１６に記載の通信システム。
【請求項１８】
通信ネットワークを介して複数の端末装置と接続されるサーバであって、
同一内容の背景データとして予め用意された公開用および非公開用の背景データのいずれかの背景上に記述された日記データを当該ユーザの端末装置から受信する手段と、
前記端末装置から受信した日記データを記憶部に保存するとともに、当該背景データの公開／非公開に基づいて当該日記データの他のユーザへの公開／非公開を管理する手段とを備え、
第１のユーザの端末装置からの要求に応じて前記第１のユーザの作成した日記データを当該第１のユーザに閲覧させるとともに、第２のユーザの端末装置からの要求に応じて当該公開用の背景データを有する日記データを当該第２のユーザに閲覧させることを特徴とするサーバ。
【請求項１９】
前記公開用の背景データは、前記非公開用の背景データと同じ内容の背景データに対して公開が許可されている旨を示すマークが付加されたものであることを特徴とする請求項１８に記載のサーバ。
【発明の詳細な説明】
【技術分野】
【０００１】
本発明は、通信システム、サーバ、端末装置およびコンピュータプログラムに関し、特に端末装置で記述された日記を、限られた相手に公開する技術に関するものである。
【背景技術】
【０００２】
従来、個人の日記は紙ベースの日記帳に記述されるのが通常であったが、最近はパーソナルコンピュータ（ＰＣ）や通信の発達に伴い、電子的に日記を記述し保存することが容易になった。
【０００３】
また、通信ネットワーク上のＷｅｂサイトに個人的な意見や記録事項をアップロードして、不特定多数の人々にその内容を公開することも行われるようになってきている（例えばｂｌｏｇ(weblogの略））。
【０００４】
近年広く普及している携帯電話機を代表とする携帯端末装置（以下、単に携帯端末または端末という）は、場所、時間の面で使用上の自由度が高く、時間や場所を問わず、思いついたときにその内容を記録するにはきわめて便利であり、また、通信機能を利用してその内容を随時、通信ネットワークにアップロードすることも可能である。
特許文献１には、携帯電話の接続部に取り付けられて友人等と携帯電話を介して日記等の交換が行える交換日記システム処理装置が開示されている。
【先行技術文献】
【特許文献】
【０００５】
【特許文献１】特開２００２−２６１９６１号公報
【発明の概要】
【発明が解決しようとする課題】
【０００６】
上述したｂｌｏｇ等、Ｗｅｂサイトでの情報の公開は、不特定多数の人々を対象とするものであり、限られた特定の人（または人々）に対してのみ日記を公開したい場合には適さない。すなわち、指定した相手にのみ自由に閲覧を許可するというような利用ができなかった。
【０００７】
また、特許文献１に記載の技術は、１対１の関係で特定の相手に日記を送信するものであり、１対多の関係で、指定した相手にのみ自由に閲覧を許容するというような利用ができなかった。（なお、特許文献１に記載の従来技術は携帯電話を通信手段として利用し、日記の書き込みおよび保存等は携帯電話機に接続可能な別体の装置で行っている。）
【０００８】
本発明はこのような背景においてなされたものであり、その目的は、特定の日記データの公開／非公開の指定を迅速かつ容易に行うことができる通信システム、サーバ、端末装置およびコンピュータプログラムを提供することにある。
【０００９】
本発明の他の目的は、特定の日記データが公開されているかどうかを即座に認識することができる通信システム、サーバ、端末装置およびコンピュータプログラムを提供することにある。
【課題を解決するための手段】
【００１０】
本発明によるシステムは、サーバと端末装置とが通信ネットワークを介して接続された通信システムである。サーバは、同一内容の背景データとして予め用意された公開用および非公開用の背景データのいずれかの背景上に記述された日記データを当該ユーザの端末装置から受信する手段と、前記端末装置から受信した日記データを記憶部に保存するとともに、当該背景データの公開／非公開に基づいて当該日記データの他のユーザへの公開／非公開を管理する手段とを有し、第１のユーザの端末装置からの要求に応じて前記第１のユーザの作成した日記データを当該第１のユーザに閲覧させるとともに、第２のユーザの端末装置からの要求に応じて当該公開用の背景データを有する日記データを当該第２のユーザに閲覧させる。端末装置は、前記いずれかの背景データを用いて日記データを作成する日記データ作成手段と、当該ユーザにより作成された背景データ付き日記データを前記サーバに送信する送信手段と、作成された日記データを閲覧する手段とを有する。
【００１１】
複数の端末装置の第１のユーザは、自己の端末装置で記述した日記データをサーバに送信する。第１のユーザが記述した日記データは他のユーザに公開される場合、公開用の背景データを用いて記載される。サーバは、第１のユーザの端末装置からの要求に応じて、その日記データを第１のユーザに閲覧させるとともに、公開用の背景データを用いて記載されている場合、第２のユーザに対してもその日記データを閲覧させることができる。
【００１２】
サーバに日記データを保存しておくことにより、記憶容量の比較的小さい端末装置に対しても比較的大きなデータを保存しておくことができる。また、日記データの公開／非公開が背景データの選択によって行える。その結果、特定の日記データの公開／非公開の指定を迅速かつ容易に行うことができる
【００１３】
本発明によるサーバは、通信ネットワークを介して複数の端末装置と接続されるサーバであって、同一内容の背景データとして予め用意された公開用および非公開用の背景データのいずれかの背景上に記述された日記データを当該ユーザの端末装置から受信する手段と、前記端末装置から受信した日記データを記憶部に保存するとともに、当該背景データの公開／非公開に基づいて当該日記データの他のユーザへの公開／非公開を管理する手段とを備え、第１のユーザの端末装置からの要求に応じて前記第１のユーザの作成した日記データを当該第１のユーザに閲覧させるとともに、第２のユーザの端末装置からの要求に応じて当該公開用の背景データを有する日記データを当該第２のユーザに閲覧させることを特徴とする。
【００１４】
このサーバは、同一内容の背景データとして予め用意された公開用および非公開用の背景データのいずれかの背景上に記述された日記データを当該ユーザの端末装置から受信する。また、受信した日記データを記憶部に保存するとともに、当該背景データの公開／非公開に基づいて当該日記データの他のユーザへの公開／非公開を管理する。第１のユーザの端末装置からの要求に応じて第１のユーザの作成した日記データを当該第１のユーザに閲覧させるとともに、第２のユーザの端末装置からの要求に応じて当該公開用の背景データを有する日記データを当該第２のユーザに閲覧させる。
【００１５】
公開する相手ユーザを指示する情報を併せて保存するようにしてもよい。この場合、前記日記データ管理手段は、当該公開する相手ユーザからの要求に応じて前記公開対象の日記データを前記他のユーザに閲覧させる。
【００１６】
本発明による端末装置は、通信ネットワークを介してサーバに接続される端末装置であって、日記データを作成する日記データ作成手段と、前記日記の背景データとして、同一の内容の選択可能な公開用と非公開用の背景データが用意されており、いずれの背景データが選択されたかによって当該日記データの公開の可否を決定する手段とを備えたことを特徴とする。
【００１７】
端末装置のユーザは、日記データを作成する際、背景データとして、同一の内容の選択可能な公開用と非公開用の背景データから、所望の公開／非公開の別に応じていずれの背景データを選択する。この選択結果によって日記データの公開の可否が決定される。
【００１８】
前記日記の閲覧は前記表示部上に表示されるカレンダー画面を介して、日付を指定することにより行うことができる。これにより、カレンダー画面上の日付をキーとしてその日の日記の閲覧へ移行することが可能となる。この際、前記カレンダー画面上で日記が記述された日付と日記が記述されていない日付とは区別して表示することが好ましい。これにより、日記が記述されている日といない日とが一目瞭然に認識され、記述済みの日記の閲覧および修正等が迅速に行える。
【００１９】
１日の日記は複数の記述領域を有することができ、前記日記が記述された日付の区別表示において前記記述領域の個数を認識可能に表示するようにしてもよい。これにより、実際の日記を閲覧する前に記述領域の個数をカレンダー画面上で認識することができる。
【００２０】
前記日記データ作成手段は、記述領域毎に背景データを用いることにより、記述領域単位に公開の可否を指定することができる。これにより、日記を公開した相手に対しても、日記の指定した一部は非公開とすることができる。
【００２１】
前記公開可と指定された記述領域の背景データに、その記述領域の公開が許可されている旨を示すマークを表示するようにすれば、日記作成者がどの記述領域を公開とし、どの記述領域を非公開としたかが容易に認識される。
【００２２】
前記日記データ作成手段は、個々の記述領域について異なる表示形態を指定する手段を備えてもよい。例えば記述領域毎に背景等を変更することができる。
【００２３】
前記日記データ作成手段は、撮影された画像データを前記サーバに送信し、前記サーバにより作成された前記画像データの縮小画像データを受信して前記日記の記述領域に貼り付ける手段を備えてもよい。これにより、撮影画像が日記の記述領域サイズに適した画像に変換される。また、この変換処理はサーバで行うことにより、端末装置にそのような処理能力や処理負荷が軽減される。この場合、前記日記データ作成手段は、前記縮小画像データを前記サーバに送信された元の画像データにリンクさせることにより、端末装置はサーバから元のサイズの撮影画像を受信して確認することができる。
【００２４】
端末装置上のユーザインターフェイスとして、前記表示部の画面上に自己の日記を示す第１のアイコンと自己に日記を公開している他のユーザの日記を示す第２のアイコンを表示し、前記第１のアイコンからの指示に応じて日記のカレンダー画面に移行し、前記第２のアイコンからの指示に応じて他のユーザの選択画面を介して当該他のユーザのカレンダー画面に移行し、いずれの場合も前記カレンダー画面から日付を選択することにより、その日付の日記に到達するようにしてもよい。これにより、ユーザに分かりやすい日記の閲覧操作が可能となる。
【００２５】
前記表示部の画面上に自己の当日の日記を示す第３のアイコンを表示し、この第３のアイコンから自己の当日の日記の記述用の画面へ移行するようにしてもよい。これにより、カレンダー画面を介することなく、当日の日記記述用の画面へ直接移行することができる。
【００２６】
本発明は、上記端末装置やサーバにおける上記のような手段や機能を実現するためのコンピュータプログラムとして把握することも可能である。
【発明の効果】
【００２７】
本発明によれば、サーバに日記データを保存しておくことにより、記憶容量の比較的小さい端末装置に対しても比較的大きなデータを保存しておくことができる。また、日記データの公開／非公開が背景データの選択によって行える。端末装置のユーザが自己の作成した日記を通信ネットワーク上のサーバにおいて公開する際に、指定した相手に限定して公開することが可能となる。これによって、日記公開サービスの利用価値が増大する。指定した相手であっても日記の一部のみを公開するようにすることも可能である。また、この日記の公開は、予め指定した仲間との情報交換、コミュニケーションの手段としても利用することが可能である。
【００２８】
日記データはサーバに保存しておくことにより端末装置に必要とされる記憶容量は少なくて済む。これは特に携帯型の端末装置に有用である。
【図面の簡単な説明】
【００２９】
【図１】本発明の実施の形態に係るシステム全体の概略構成を示す図である。
【図２】本発明の実施の形態に係るシステム全体の構成、および携帯電話機の内部構成を示すブロック図である。
【図３】本発明の実施の形態に係るサーバの概略の構成例を示すブロック図である。
【図４】本発明の実施の形態に係る友達リストの構成を模式的に表したデータテーブルを示す図である。
【図５】本発明の実施の形態における１ユーザの１日の日記データの構造を模式的に示した図である。
【図６】本発明の実施の形態において利用する携帯端末の表示部でのグラフィックユーザインターフェイス（ＧＵＩ）画面の一例を示す図である。
【図７】本発明の実施の形態において当日の日記をつけるための画面例の説明図である。
【図８】本発明の実施の形態におけるメッセージ表示の例の説明図である。
【図９】本発明の実施の形態におけるカレンダー画面の説明図である。
【図１０】本発明の実施の形態における閲覧モードでの画面例の説明図である。
【図１１−Ａ】本発明の実施の形態において選択された日付の日記が３ページに達していないときのメッセージ表示画面の説明図である。
【図１１−Ｂ】本発明の実施の形態において選択された日付の日記が３ページに達している場合の画面例の説明図である。
【図１２−Ａ】本発明の実施の形態における日記の背景の切替の説明図である。
【図１２−Ｂ】図１２−Ａに続く画面の説明図である。
【図１２−Ｃ】図１２−Ｂに続く画面の説明図である。
【図１３】本発明の実施の形態において日記の特定のページを削除する方法の一例の画面の説明図である。
【図１４】本発明の実施の形態において仲間日記が選択された場合の画面例の説明図である。
【図１５】本発明の実施の形態において自己の日記を公開する相手を指定するための画面例の説明図である。
【図１６】本発明の実施の形態の携帯端末における日記編集に関する処理例のフローチャートである。
【図１７】本発明の実施の形態の携帯端末における日記閲覧に関する処理例のフローチャートである。
【図１８】本発明の実施の形態の携帯端末およびサーバにおける写真貼り付けに関する処理例のフローチャートである。
【発明を実施するための形態】
【００３０】
以下、本発明の好適な実施の形態について詳細に説明する。
図１は本実施の形態に係るシステム全体の概略構成を示す。このシステムは、サーバ１６０と、携帯端末の一例としての複数の携帯電話機１００とを備え、これらは通信ネットワーク１５５を介して相互に接続される。通信ネットワーク１５５には、電話網、インターネット等を含みうる。サーバ１６０には、データベース２２０ａおよびプログラム記憶装置２２０ｂが接続される。
【００３１】
図２に、本実施の形態に係るシステム全体の構成、および携帯電話機１００の内部構成を示す。このシステムにおいて、携帯電話機１００は基地局１５０を介して通信ネットワーク１５５に接続されている。通信ネットワーク１５５には、サーバ１６０、他の携帯電話機１００等が接続されている。
【００３２】
携帯電話機１００の制御部１０５は、変調器１０３および復調器１０４に接続され、さらに、これらはアンテナ共用器１０２を介してアンテナ１０１に接続され、基地局１５０および通信ネットワーク１５５を介して外部の携帯電話機との間で音声やデータの送受信を行う。制御部１０５は、ＣＰＵ１１０を有し、メモリ１２２に格納されている制御プログラムやアプリケーションプログラムおよび必要なパラメータを利用して、携帯電話機の機能を実現する。メモリ１２２は不揮発性のメモリであるＲＯＭ、ＥＥＰＲＯＭや、通常、揮発性であるＲＡＭ等を含みうる。本実施の形態ではこのメモリ１２２に、プログラム１２２ａ、表示画面／部品データ１２２ｂ、および、キャッシュメモリ１２２ｃを含む。制御部１０５はさらに外部インタフェース１１１を含み、これを介して、入力部１０６（各種キーやジョグダイヤル等）、表示部１０７（ＬＣＤ等の表示手段）等の入出力動作を制御する。制御部１０５にはさらに時計部１２１が接続される。時計部１２１は日時情報の生成、管理を行うとともにタイムアウトを監視するためのタイマー機能を有する。制御部１０５は本発明における携帯端末の各種の制御を行う制御手段を構成している。
【００３３】
図３に、サーバ１６０の概略の構成例を示す。サーバ１６０は主要機能部として、Ｗｅｂ処理部２０３、テーブル処理部２０５、日記データ管理部２０７、およびデータ転送処理部２０９を有する。
【００３４】
Ｗｅｂ処理部２０３は、Ｗｅｂ画面構成のためのイメージ（画像）やテキストのデータを格納したＷｅｂデータ記憶装置２０４と接続されると共に、通信部２０１を介して通信ネットワーク１５５に接続され、携帯電話機１００等からのＷｅｂデータの要求に応じてＷｅｂデータの返送を行う応答手段として機能する。Ｗｅｂ処理部２０３は、この送信の前にＷｅｂデータの加工処理を行ってもよい。Ｗｅｂ処理部２０３は、また、端末で機能するアプリケーションプログラム（アプリ）３０９や各種データを保存する記憶装置２０２に接続され、端末からのダウンロード要求に応じてこれらを端末へ送信する。本実施の形態における日記作成閲覧のサービスは、アプリケーションプログラムを携帯端末にインストールすることにより、携帯端末で利用可能となる。このようなアプリケーションプログラムは、携帯端末の出荷時に初期的にインストールされていてもよいし、あるいは、出荷後にユーザの要求によりインストールされてもよい。なお、本発明における「日記」とは日付単位に記述される記録やメモ等のデータであり、典型的にはテキストデータからなるが、テキストデータに加えて、または代えて、画像データや音声データ等を含んでもよい。
【００３５】
テーブル処理部２０５は、後述するような友達リスト５１および送信先リスト５２のような各種管理用のデータテーブルを格納するデータ記憶装置２０６に接続され、Ｗｅｂ処理部２０３および日記データ管理部２０７から与えられる情報に従って、テーブルデータの作成および更新の処理を行う。
【００３６】
日記データ管理部２０７は、通信部２０１を介して通信ネットワーク１５５に接続され、日記作成者からの日記データのアップロードを受け、このアップロードされた日記データを日記データ記憶部２０８に保存するとともに、許可されたユーザに対して日記の閲覧を行わせる。日記データ２０８ａは、ユーザ毎に管理され、例えばタグ情報付きのテキストデータで記述される。また、日記データ記憶部２０８には、ユーザ毎に画像データ（写真撮影データ）２０８ｂも保存され管理される。日記データ管理部２０７には、日記資源データ記憶部２１１も接続される。日記資源データには、月単位のカレンダーを表示するためのカレンダーデータ２１１ａ、シール画像を定めたシールデータ２１１ｂ、ページの背景画像（色や模様等）を定めた背景データ２１１ｃ、カレンダーの日付に付加されるアイコン，天気画像，占い画像などのアイコン画像を定めたアイコンデータ２１１ｄが保存されている。日記資源データの少なくとも一部は、サーバ１６０に代えて、または加えて、携帯端末側のメモリ１２２内に保存してもよい。例えばカレンダーデータ２１１ａは端末内に保持されたカレンダーデータが利用できる場合にはサーバに保持しなくてもよい。日記データ管理部２０７は、テーブル処理部２０５にも接続されている。日記データ２０８ａには、タグ情報により、背景データ２１１ｃや、シールデータ２１１ｂ、画像データ２０８ｂ等が対応づけられている。タグ情報には、対象となるデータのＵＲＬの他、ページ内での位置情報などの属性情報を含みうる。
【００３７】
データ転送処理部２０９は、通信部２０１を介して通信ネットワーク１５５に接続され、後述するトランスポータの機能を実現するために、外部から受信したデータを一時的にデータバッファ２１０に記憶し、また、記憶したデータを読み出し外部に送信する。
【００３８】
なお、図１に示したデータベース２２０ａは、データ記憶装置２０６、日記データ記憶部２０８、日記資源データ記憶部２１１等により構成される。また、図１に示したプログラム記憶装置２２０ｂは記憶装置２０２により構成される。
【００３９】
サーバ１６０の日記データ管理機能、Ｗｅｂ機能およびデータ転送機能は別々のサーバが担当し、適宜必要情報を相互に授受する構成であってもよい。また、図示しないが、通信部２０１とは別に外部との間で各種データ等の入出力を行うインタフェースを備えてもよい。
【００４０】
図４は友達リスト５１の構成を模式的に表したデータテーブルを示している。友達リスト５１は、日記の作成者であるユーザ毎に、そのユーザが自己の日記の閲覧を許可する公開先の相手（例えば友達）を登録するものであり、サーバ１６０に保持される。この例では、友達リスト５１は、閲覧を許可する相手の「ニックネーム」、「ユーザｉｄ」および「端末ｉｄ」を登録している。ユーザｉｄはここではメールアドレスを用いている。端末ｉｄには個々の携帯電話機の固有の端末番号を利用している。後述するように、端末からサーバにアクセスする際、端末ｉｄおよび／またはユーザｉｄがサーバに送られ、サーバはこれらに基づいてアクセスしてきたユーザまたは端末を識別することができる。
【００４１】
図示しないが、送信先リスト５２も友達リスト５１と同様な構成を有する。送信先リスト５２は、後述するトランスポータによるデータの送信先を予め定めたデータテーブルである。友達リスト５１および送信先リスト５２の全部または関連する一部のコピーが携帯電話機内のキャッシュメモリ１２２ｃに保存されてもよい。これにより友達や送信先の確認の都度、サーバにアクセスする必要がなくなる。日記データも限られたデータ量についてはキャッシュメモリ１２２ｃにコピーを保持するようにしてもよい。キャッシュ内のデータにはその内容の最終更新日を併せて保存しておく。これにより、キャッシュメモリ内に保持されているデータが最新のものであるかどうかを確認することができる。
【００４２】
図５は、１ユーザの１日の日記データの構造を模式的に示したものである。この例では、日記データは、日付２４１と、日記の各ページのデータ２４２，２４４，２４６と、各ページの公開／非公開を示すフラグ情報２４３，２４５，２４７とを有する。各ページのデータはページ数に応じて、存在しない場合もありうる。日記の各ページのデータには、前述のように、テキストデータによる本文に対して、背景データ２１１ｃや、シールデータ２１１ｂ、画像データ２０８ｂ等がタグ情報で対応づけられている。
【００４３】
以下、本実施の形態における動作について詳細に説明する。
【００４４】
本実施の形態における公開日記の機能の概要は次のとおりである。
1. 携帯端末からの日記の記述、閲覧
2. 指定した友達への日記の公開
3. 日記のページ毎の公開非公開の指定（公開指定している友達に対しても特定のページだけは見えなくする、または特定のページだけ見えるようにする）
4. 公開指定してもらった友達の日記の閲覧
【００４５】
図６は、本実施の形態において利用する携帯端末の表示部１０７でのグラフィックユーザインターフェイス（ＧＵＩ）画面の一例を示している。この画面には、より上位の画面（図示せず）からメニューの選択または所定のボタン選択等の操作により移行することができる。図に示すユーザインタフェースは、画面上にエージェントやマスコットと呼ばれるキャラクタ（以下、マスコットという）４０１と、ユーザによるこのマスコット４０１の操作に応じて操作（指示）される複数のアイテムとを表示することにより、直感的かつ簡単な操作が行えるユーザのなじみやすいユーザインタフェースを提供するものである。図の例では画面上に各種のアイテムが配置され、ユーザの操作に従ってマスコット４０１が画面内を移動し、所望のアイテムに働きかけることができるようになっている。図中のアイテムとしては、当日日記４０２、日記帳４０３、仲間日記４０４、シール箱４０５、およびトランスポータ４０６が用意されている。マスコット４０１はユーザによるジョグダイヤルやカーソル移動キーの操作により画面上を移動し、特定のアイテムを選択することができるようになっている。具体的には、マスコット４０１が目的のアイテムに接近すると、そのアイテムが強調表示され、この状態で操作部の特定のキー（例えばエンターキー）を押下することにより、そのアイテムが選択される。また、バッファに一時的にコピーされたデータ（例えば画像データやシール等）を、マスコット４０１の動作により、所定のアイテム（図の例では例えばトランスポータ４０６）にペースト（貼り付け）することができる。データがコピーされた状態はマスコットの表示形態により認識できるようになされる。例えば、マスコット４０１が水晶玉（図示せず）を抱えた状態で示される。データがペーストされるとこの水晶玉はなくなる。
【００４６】
当日日記は、その日の日記を記述するためのツールである。当日日記４０２のアイテムを選択することにより、その日の日記をつけるための画面（図７で後述）に直接移行することができる。これにより、カレンダー画面から当日を選択する手間が省かれる。日記帳４０３は、自己のつけた日記を閲覧、修正するためのツールであり、後述するカレンダー画面（図９）から任意の日付の日記の画面に移行することができる。当日日記で作成された日記は日記帳４０３の内容に反映される。仲間日記４０４は自己を公開の対象としている友達の日記を閲覧するためのツールであり、後述する友達の選択画面（仲間日記選択画面）およびカレンダー画面（図１４）を介して友達の日記の閲覧画面に移行することができる。
【００４７】
シール箱４０５は、外部から入手した（例えばメッセージ通信等により添付されて来た、または、トランスポータ４０６経由で受信した）シールを格納しておくツールであり、これらのシールの中から所望のシールを選択して日記のページに貼り付けることができる。
【００４８】
トランスポータ４０６はユーザ間のデータ転送用のツールである。あるユーザのトランスポータは他のユーザのトランスポータに繋がっているとみなすことができる。その繋がる先は一人のユーザとは限らず複数のユーザのトランスポータであってもよい。送信先は送信先リスト５２から選択することができる。データ受信用トランスポータ４０６の中身を確認することにより、サーバ１６０のデータバッファ２１０内のユーザ別受信バッファの自己に割り当てられた領域にデータがあるか否かをチェックすることができる。存在すれば、それを取り出して、任意のアプリケーションで利用することができる。このようなトランスポータを利用したデータ転送によれば、従来の電子メールの添付書類による転送に比べて、簡単な操作でより直接的にかつ直感的に行うことができる。トランスポータによるデータ転送については、本出願人により先に提案された特願２００３−２８５６１２号に詳細に記載されている。
【００４９】
図７（ａ）に、図６の画面の当日日記４０２が選択された場合に開かれる画面例を示す。本実施の形態では、１日につき最大３ページ分の記憶領域が割り当てられ、３ページに達していない場合に図７（ａ）の画面が開かれる。既に３ページ分の記述をしている場合には、当日日記４０２を選択すると、図８の画面例に示すように、日記帳４０３からの編集を行うようメッセージが表示される。
【００５０】
図７（ａ）の画面において、画面の一部（この例では右辺）に、書き込みツール６０１、シールツール６０２、カメラツール６０３、背景ツール６０４が配置されている。書き込みツール６０１は、実際に日記を記述するための画面（ページ）へ移行するためのツールである。シールツール６０２は、ページ上の所望の位置にシールを貼り付けるためのツールである。図７（ｂ）は文章入力とシール７０４等のシール張りが終了した状態を示している。ページの一部（ここでは右上隅）に当日の天気を示すアイコン７０２を表示している。天気はサーバ１６０で確認され、その結果がアイコン７０２として付加される。これにより、ユーザが天気を確認して記録することなく、自動的に当日の日記のページに天気情報が記録されることになる。カメラツール６０３は、携帯電話機１００がカメラ付き携帯端末の場合に有効となり、カメラで撮影した画像を日記のページに貼り付けることを可能とする。図７（ｃ）はカメラツール６０３を選択した状態を示している。この状態でカメラ機能が呼び出され、撮影機能が有効となる。図７（ｄ）は撮影された写真画像がページの所定の位置に貼り付けられた状態を示している。既に記述済みのテキストや貼付済みのシールは写真と重ならないように、自動的に表示位置をずらしている。本実施の形態では、携帯端末のカメラで撮影された画像データは一旦、サーバ１６０に送信され、サーバ１６０で管理されるとともにそのサムネール画像が作成され、携帯端末に返送される。サムネール画像は、撮影された画像を所定のサイズに縮小した画像である。携帯端末で日記のページに表示される写真はこのサムネール画像である。ページ上のサムネール画像には元の撮影画像データにリンクが張られている。背景ツール６０４は、ページ単位に「テイスト」として背景の画像（色や模様等）を切り替えるためのツールである。背景データは、日記の新たなページの作成時にサーバからデフォルトの背景データが与えられ、この背景に天気のアイコンも付加されている。背景データは後述するように、背景ツールにより後で変更することができる。日記の記述後に「保存」ボタンを選択することにより、記述した日記の内容をサーバに保存することができる。
【００５１】
図９（ａ）は日記帳４０３が選択されたときに開かれる月単位のカレンダー画面の表示例を示している。この画面では、日記が書かれた日には、書かれていることが分かるようにアイコンが描画される。図９（ｃ）に拡大して示すように、このアイコンは、ページ数と同じ個数がずらして重ね合わされる。かつ、各アイコンは日記に使用した背景（テイスト）に応じて描画される。例えば、各ページのアイコンとしては、そのページの背景の色や模様と同じ色や模様（但し、図では便宜上、異なるハッチ）のアイコンが用いられる。また、図９（ｂ）に示すように、曜日や当日を文字の色を異ならせることにより識別表示している。この例では、日祭日、土曜日、平日、当日の色を互いに区別している。カレンダー上の一つの日付（図の例では２月１２日）にフォーカス（ハイライト等の強調表示）が与えられる。このフォーカスは、操作部での操作により移動させることができる。フォーカスの移動が画面の１か月の上下限を超えると、表示されるカレンダーの月が変わるようになっている。
【００５２】
ユーザが、日記の記述された日を選んで（フォーカスを当てて）、エンターキーを押すと閲覧モードに入り、画面下の「編集」ボタンを選択すると編集モードに入る。
図１０は、閲覧モードでの画面例を示している。図１０（ａ）（ｂ）（ｃ）は選択された日付の３ページ分の日記の例を示している。各ページの画面の上部には日記の日付７０１が表示されている。前述のように、各ページの一部（ここでは右上隅）に日記記述当日の天気を示すアイコン７０２を表示している。本文７０５の領域の一部にはシール７０４と写真７０３が貼付されている。３ページ目の例では写真７１３を選択すると（具体的には、写真７１３にフォーカスを当ててエンターキーを押すと）、図１０（ｄ）に示すように、その元の画像がサーバから読み出され実サイズでほぼ画面全体に表示される。操作部の操作により、ページの切替、および各ページ内でのフォーカスの移動を行うことができる。例えば、左右キーによりページの移動を行い、上下キーで写真、天気、シール等のページ上のアイテム間でのフォーカスの移動を行うことができる。なお、シールに対してリンクを張り、シールを何らかの情報やアクションに割り当てることも可能である。また、シールや画像はコピーして、利用することが可能である。アイコン７０６は、このページが公開の対象とされていることを示すものである。その指定の仕方については後述する。
【００５３】
一方、図９（ａ）の画面で「編集」ボタンが選択されたとき、編集モードに移行する。編集モードでは、当日日記の編集と同様に、既存の日記の修正あるいは新規ページの追加などが可能である。具体的には、選択された日付の日記が３ページに達していないときには、図１１−Ａ（ａ）に示すように、新規ページを作成するか否かを問い合わせるメッセージが表示される。新規ページを作成する場合には、同図（ｂ）に示すような書き込み画面へ移行する。３ページに達している場合、または、３ページに達していないが新規ページを作成しない場合には、図１１−Ｂ（ａ）（ｂ）（ｃ）に示すように、各ページの記述内容の修正を行うことができる画面に移行する。ページ間の移行は左右キー等の操作により行える。この画面で「修正」ボタンを選択すると、編集モードに移行し、そのページの編集が行えるようになる。具体的な編集としては、文字入力、シール貼り付け、写真貼り付けが可能である。本実施の形態では、文字は、選択される背景毎に予め定義された文字色テンプレートによって自動的に色づけされる。編集の終了後、「保存」ボタンを選択すると、修正内容が保存される。ページ間の切替は前述したとおりである。
【００５４】
本実施の形態において、日記の公開は、２つの属性によって制御することができる。一つは、ページ毎の公開属性であり、もう一つは友人に対する公開属性である。ページの公開の指定は、本実施の形態では、日記の背景の指定と同時に行う。すなわち、図１２−Ａ（ａ）に示すように、背景ツールを選択した後、「切替」ボタンの選択または所定のキー操作により、図１２−Ａ（ｂ）〜（ｄ）および図１２−Ｂ（ａ）（ｂ）に示すように背景データを順次切り替えていくことができる。（ここでは色の異なる背景を示しているが、モノクロ図面には現れていない）本実施の形態では、「目」のマークのアイコン７０６の有無のみが異なる同一内容の１対の背景が複数対用意されている。「目」アイコン７０６が付加された公開用の背景を選択して日記を保存すると、この日記は公開指定した友達に公開されることになる。逆に言えば、アイコン７０６が付加されていない非公開用の背景のページについては、公開指定した友達にも閲覧が禁止される。例えば、図１２−Ｂ（ｃ）に示した「目」アイコン７０６がついた背景を選択した状態でエンターキーまたは「切替」ボタンを選択すると、図１２−Ｃ（ａ）に示すように仲間に公開することの確認画面が表示される。ユーザがこれを確認すると、同図（ｂ）に示すようにそのページの公開が確定した状態となる。ユーザは、自己の作成した日記のページ上の「目」のアイコン７０６の有無により、そのページが公開されているかどうかを即座に認識することができる。
【００５５】
図１３は日記の特定のページを削除する方法の一例を示している。この例では、図１３（ａ）に示すような削除対象ページの文章、シール、写真をすべて削除すると図１３（ｂ）のような画面となり、このあと「保存」ボタンを選択することにより、図１３（ｃ）の確認画面を経て当該ページを削除することができる。但し、ページの削除の方法はこれに限るものではなく、例えば、所定のキー操作やメニュー操作等により、ページの内容を残したまま、ページの削除をできるようにしてもよい。自己の日記を公開する相手としての友達の指定については、後述する。
【００５６】
図６の画面で仲間日記４０４を選択すると、図１４（ａ）に示すような画面が表示される。この画面は、自己に対して日記を公開している相手を選択する機能と、自己の日記を公開する相手を指定する機能とを有する。仲間（友達）の日記を閲覧するには、自己に対して日記を公開している相手を選択欄８０１で選択する。この選択欄８０１の選択肢は図４で説明した友達リスト５１に基づいて、決定される。すなわち、自己を公開対象の友達として指定してくれているユーザを友達リスト５１の中から選択する。そのためには全友達リストの検索処理が必要となる。この処理は、選択欄８０１による相手の選択の度に行ってもよいが、予め各ユーザについてこの検索処理を行っておき、各ユーザに対して公開をしている公開元のユーザを特定したリストを逆引きテーブルとして用意しておいてもよい。選択欄８０１から友達を選択して「決定」ボタンを選択すると、図１４（ｂ）に示すようにその友達の日記のカレンダー画面が表示される。画面の右上には、当該友達のユーザ名（ここではニックネーム）が表示されている。但し、このカレンダー画面に反映されている日記のページは前述した「目」のアイコンが付加されているもののみである。友達の日記の閲覧操作自体は自己の日記と同様に行うことができる。
【００５７】
図１４（ａ）の画面で「公開登録」８０２を選択すると、図１５（ａ）のような画面に移行する。この画面は、自己の日記を公開する相手を指定するためのものであり、サーバから提供される友達リスト編集のためのＷｅｂ画面である。図１４（ａ）の画面には既に指定されている友達がリスト表示されている。登録済みの友達はこの画面からユーザ名を指定して「削除」ボタンを選択することにより、友達リストから削除することができる。新たな友達の登録は「登録」ボタンの選択により行える。登録ボタンが選択されると、図１５（ｂ）の画面が表示され、この例では、この画面で所望の友達の携帯端末のメールアドレスを指定する。また、その相手のニックネームを入力することができる。手入力ではなく、携帯端末内の電話帳データ等（図２のメモリ１２２内）の既存のデータから友達を選択する場合には「参照」ボタンを選択して図１５（ｃ）のような画面を表示させ、この画面から所望のメールアドレスを選択する。図１５（ａ）の画面で「アプリに戻る」ボタンを選択すると、図６の画面に戻る。この画面による友達の追加や削除はサーバに通知され、それに応じて友達リスト５１が更新される。
【００５８】
図１６に、携帯端末における日記編集に関する処理例のフローチャートを示す。
【００５９】
日記編集のためには、前述のように、端末はカレンダー上でユーザの指示に応じて日付の選択を行う（Ｓ１１）。その前提として、端末は、サーバにアクセスし、カレンダー画面上の各日付に対して、日記の記載の有無（およびページ数）を反映させている。その日付についての日記の有無を確認し、図１１−Ａ（ａ）に示したように、既存ページの編集か新規ページの追加かをユーザに確認する（Ｓ１２）。
【００６０】
既存ページの編集である場合、ユーザによる日記編集操作を受け付ける（Ｓ１７）。保存ボタンが押下されたら（Ｓ１８，Ｙｅｓ）、その編集後のページのデータをサーバにアップロードする（Ｓ１９）。
【００６１】
新規ページの追加の場合、既存ページ数をチェックする（Ｓ１３）。既存ページが最大ページ（ここでは３ページ）に達している場合には、ページ追加が不可であることをメッセージ表示によりユーザに通知する（Ｓ１６）。最大ページに達していなければ、新規ページの追加を行う（Ｓ１４）。この新規ページの追加時にはサーバから天気、占い等のデータを取得して、そのページに表示する（Ｓ１５）。その後、ユーザによる具体的な日記編集に移る（Ｓ１７）。保存ボタンが押される前に「戻る」ボタンが選択された場合には、アップロードを行うことなく日記編集処理を終了する。
【００６２】
図１７に、携帯端末における日記閲覧に関する処理例のフローチャートを示す。
【００６３】
日記の閲覧が開始されると、まず、端末はその閲覧の対象が自己の日記か友達の日記かを確認する（Ｓ３１）。友達の日記の場合には、図１４（ａ）の画面の選択欄８０１で説明したように友達を選択させる（Ｓ３２）。ついで、自己または指定された友達の日記に対応したカレンダー画面を表示し、閲覧の対象となる日付をユーザに選択させる（Ｓ３３）。その日付に日記が記述されていなければ（Ｓ３４，無し）、他の日付を選択させる。日記が記述されていれば、そのデータの更新の要否をチェックする（Ｓ３５）。これは、端末内のキャッシュメモリ（クライアントキャッシュ）に保存されているデータの最終更新日とサーバに保存されている同データの最終更新日とを比較して、サーバのデータの方が新しければ、データ更新要と判断する。データ更新要と判断された場合には、サーバから新たなデータをサーバから取得する（Ｓ３７）。この場合、友達の日記の場合には、自己に対して公開されているページのみを取得の対象とする。データ更新不要の場合に、クライアントキャッシュ内に目的の日付の日記があるか否かを調べる（Ｓ３６）。なければ、そのデータをサーバから取得する（Ｓ３７）。あれば、クライアントキャッシュからその日付の日記の該当ページを読み出して表示する（Ｓ３８）。該当ページは、デフォルトで第１ページであるが、ページめくり操作に応じて（Ｓ３９）、変更され、新たなページについてステップＳ３５に戻り、上記処理を続行する。
【００６４】
ページ上の写真がユーザにより指示選択された場合には、その実サイズデータをサーバから取得して表示する（Ｓ４１）。「戻る」ボタンの押下によりステップＳ３８へ戻る。
【００６５】
ユーザからデータのコピー指示があった場合（Ｓ４２，Ｙｅｓ）、そのデータをコピーして（Ｓ４４）、この処理を終了する。コピー指示により処理を終了するのは、コピーしたデータを次に利用する動作に移行すると判断されるからであるが、コピー後もステップＳ３８に戻るようにしてもよい。終了指示があれば（Ｓ４３，Ｙｅｓ）、本処理を終了する。
【００６６】
図１８は、携帯端末およびサーバにおける写真貼り付けに関する処理例のフローチャートを示している。
【００６７】
図７（ｃ）（ｄ）で説明したように、カメラツールが選択されると、写真貼り付け処理が開始され、ネイティブカメラ機能が呼び出される（Ｓ５１）。タイムアウトとなる前に撮影の指示があれば撮影動作を行い（Ｓ５２）、ユーザの確認で取り直しが必要な場合にはステップＳ５２に戻る。タイムアウトとなったら、この処理を自動的に終了する。ユーザ確認がＯＫであれば（Ｓ５３，Ｙｅｓ）、その撮影により得られた画像データをサーバにアップロードする（Ｓ５４）。サーバは、リクエスト待ちの状態で（Ｓ６１）このアップロードを受けると、当該画像データを元データとして当該ユーザに対応づけて日記データ記憶部２０８（図３）に格納するとともに、そのサムネール画像を生成する（Ｓ６２）。生成されたサムネール画像は、そのポインタ情報（例えばＵＲＬ）とともに、端末へ返送される（Ｓ６３）。端末はレスポンス待ち（Ｓ５５）の状態で、タイムアウト前に返送を受信すると、そのサムネール画像を日記のページ上に表示するとともに、日記データ内でサムネールを選択すると元データが表示されるように、前記ポインタのリンクを設定する（Ｓ５６）。そのためには、例えば、マークアップ言語において利用されるタグ情報等を用いることができる。その後、写真貼り付け処理を終了する。
【００６８】
以上、本発明の好適な実施の形態について説明したが、上記で言及した以外にも種々の変形、変更を行うことが可能である。
【００６９】
例えば、１日の日記のページ数は最大３ページとしたが、３ページより少なくても多くてもよい。また、ページ切替ではなくスクロールであってもよい。公開非公開はページ単位としたが、１日の日記単位としてもよい。また、１日の日記はページ構成である必要はなく、複数の記述領域に分割して把握される場合に、その記述領域単位に公開／非公開を指定できるようにすることができる。
【００７０】
ページの公開指定はページの背景の選択で行えるようにしたが、背景と無関係に公開／非公開を指定できるようにしてもよい。
【００７１】
写真画像は日記の作成時にカメラでリアルタイム撮影するものとしたが、既に撮影済みの画像を選択して日記に貼り付けることを可能としてもよい。
【００７２】
本発明が適用されるシステムにおける端末は、携帯端末を例として説明したが、通信ネットワークに接続されたＰＣなどの端末であってもよい。
【００７３】
ページのテイストとしてページ毎に背景を変えられるようにしたが、ページ毎に文字の色や書体等を変化させるようにすることも可能である。
【符号の説明】
【００７４】
５１…友達リスト、５２…送信先リスト、１００…携帯端末、１０１…アンテナ、１０２…アンテナ共用器、１０３…変調器、１０４…復調器、１０５…制御部、１０６…入力部、１０７…表示部、１１１…外部インタフェース、１２２…メモリ、１２２ａ…プログラム、１２２ｂ…表示画面／部品データ、１２２ｃ…キャッシュメモリ、１２１…時計部、１５０…基地局、１５５…通信ネットワーク、１６０…サーバ、２０１…通信部、２０２…記憶装置、２０３…処理部、２０４…データ記憶装置、２０５…テーブル処理部、２０６…データ記憶装置、２０７…日記データ管理部、２０８…日記データ記憶部、２０８ａ…日記データ、２０８ｂ…画像データ、２０９…データ転送処理部、２１０…データバッファ、２１１…日記資源データ記憶部、２１１ａ…カレンダーデータ、２１１ｂ…シールデータ、２１１ｃ…背景データ、２１１ｄ…アイコンデータ、２２０ａ…データベース、２２０ｂ…プログラム記憶装置、４０１…マスコット、４０２…当日日記、４０３…日記帳、４０４…仲間日記、４０５…シール箱、４０６…トランスポータ、６０１…ツール、６０２…シールツール、６０３…カメラツール、６０４…背景ツール、７０１…日付、７０２…アイコン、７０３…写真、７０４…シール、７０５…本文、７０６…アイコン、７１３…写真、８０１…選択欄、８０２…公開登録ボタン、ＧＵＩ…グラフィックユーザインターフェイス
【図１】
2010205298.tif 000003
【図２】
2010205298.tif 000004
【図３】
2010205298.tif 000005
【図４】
2010205298.tif 000006
【図５】
2010205298.tif 000007
【図９】
2010205298.tif 000008
【図１５】
2010205298.tif 000009
【図１６】
2010205298.tif 000010
【図１７】
2010205298.tif 000011
【図１８】
2010205298.tif 000012
【図６】
2010205298.tif 000013
【図７】
2010205298.tif 000014
【図８】
2010205298.tif 000015
【図１０】
2010205298.tif 000016
【図１１−Ａ】
2010205298.tif 000017
【図１１−Ｂ】
2010205298.tif 000018
【図１２−Ａ】
2010205298.tif 000019
【図１２−Ｂ】
2010205298.tif 000020
【図１２−Ｃ】
2010205298.tif 000021
【図１３】
2010205298.tif 000022
【図１４】
2010205298.tif 000023